(57)【特許請求の範囲】
【請求項１】
火葬場の建物内に設けられる火葬設備であって、
炉前ホールと、炉前ホールから移送される遺体用の火葬炉が設置された炉室と、火葬炉から排出される排気ガスを処理する排ガス処理室であって排気ガスを吸引する排気ファンが設置された排ガス処理室とを備え、
排ガス処理室は、炉前ホールと炉室よりも下側で且つ大地の側方に形成されていることを特徴とする火葬設備。
【請求項２】
排ガス処理室は炉室の下に形成されていることを特徴とする請求項１記載の火葬設備。
【請求項３】
炉前ホールの下には排ガス処理室の側方の大地が位置することを特徴とする請求項２記載の火葬設備。
【請求項４】
排ガス処理室の側方の大地と炉前ホールとの間に暖房室を備えると共に、炉前ホールを温める暖房装置を備え、
暖房装置は、排ガス処理室から暖房室を経て建物の外部に通じるダクトを備えていることを特徴とする請求項３記載の火葬設備。
【発明の詳細な説明】
【技術分野】
【０００１】
本発明は火葬炉から排出される排気ガスを処理する排ガス処理室を含む火葬設備に関する。
【背景技術】
【０００２】
火葬場においては、火葬炉が設置された炉室の前に炉前ホールがあり、この炉前ホールには故人との最後の別れを告げる告別室や、収骨室等が設けられている（特許文献１参照）。
【０００３】
また火葬炉を含む火葬設備においては、火葬炉から排出された排気ガスを無害化するために排ガス浄化装置が設置されており、排ガス浄化装置の排気ファンによって、排気ガスを強制的に火葬設備から外へ排出している（特許文献２参照）。
【先行技術文献】
【特許文献】
【０００４】
【特許文献１】特開２０１２−２５１６８６号公報
【特許文献２】特開平８−２８８３２号公報
【発明の概要】
【発明が解決しようとする課題】
【０００５】
ところで前記特許文献には記述はないが、排ガス浄化装置は火葬炉の上に設置されているものであり、火葬設備全体の高さ、ひいてはその火葬設備を収容する火葬場の高さが、必然的に高くなっていた。しかしながら火葬場は景観に与える影響を考えると、できるだけ目立たないように地上からの全高を低く抑えていることが望ましい。
【０００６】
また排ガス浄化装置は排気ファンの駆動によって騒音を発生する。より詳しく言えば、排気ファンを駆動させると振動が発生し、この振動が音になる。そして振動音は排気ファンを設置した排ガス処理室の床から炉前ホールの天井を伝わるものと想定される。この振動音による騒音は、炉前ホールにいる人にも聞こえる程度の大きさであり、できるだけ静かなことが望まれる。
【０００７】
本発明は上記実情を考慮して創作されたもので、その目的は、できるだけ地上高を低くし、且つ騒音を小さくすることのできる火葬設備を提供することである。
【課題を解決するための手段】
【０００８】
本発明は、火葬場の建物内に設けられる火葬設備であって、炉前ホールと、炉前ホールから移送される遺体用の火葬炉が設置された炉室と、火葬炉から排出される排気ガスを処理する排ガス処理室であって排気ガスを吸引する排気ファンが設置された排ガス処理室とを備えるものを前提とする。そして本発明の火葬設備は、排ガス処理室は、炉前ホールと炉室よりも下側で且つ大地の側方に形成されていることを特徴とする。
【０００９】
排ガス処理室の位置は、大地の側方に位置していれば良く、炉前ホールや炉室との位置関係は問わないが、炉前ホールをより静かにするには、次のようにすることが望ましい。すなわち、排ガス処理室は炉室の下に形成されていることである。
【００１０】
炉前ホールの下は空間であるか否か、さらにはその空間の全高が排ガス処理室と同じ全高であるか否かは問わないが、排ガス処理室の騒音を炉前ホールに伝え難くするには次のようにすることが望ましい。
すなわち、炉前ホールの下には排ガス処理室の側方の大地が位置することである。
【００１１】
また排ガス処理室内の空気は、排ガスを処理する際の熱によって高温となる。この高温の空気を単に建物の外部へ排出しても良いが、暖房として利用する場合には次のようにすることが望ましい。
すなわち、排ガス処理室の側方の大地と炉前ホールとの間に暖房室を備えると共に、炉前ホールを温める暖房装置を備え、暖房装置は、排ガス処理室から暖房室を経て建物の外部に通じるダクトを備えていることである。
【発明の効果】
【００１２】
本発明の火葬設備によれば、排ガス処理室の位置を炉前ホールと炉室よりも下側で且つ大地の側方にしてあることから、炉前ホールに排ガス処理室で発生した騒音（振動音）は伝わり難くなり、炉前ホールを静かなものとすることができる。しかも排ガス処理室の側方の大地の上面を基準とする火葬設備の地上高、ひいては火葬場の建物の地上高を低くすることができ、周囲の景観に配慮したものとなる。
【００１３】
また排ガス処理室を炉室の下に形成してある火葬設備であれば、排ガス処理室を炉前ホールの下に形成してある火葬設備に比べて、炉前ホールをより静かにすることができる。
【００１４】
さらに炉前ホールの下に排ガス処理室の側方の大地が位置する火葬設備であれば、大地によって排ガス処理室で発生する振動を吸収することから、排気ファンの騒音が一段と炉前ホールには伝わり難くなり、炉前ホールを静かなものとすることができる。
【００１５】
また火葬設備が、排ガス処理室の側方の大地と炉前ホールとの間に暖房室を備えると共に、炉前ホールを温める暖房装置として、排ガス処理室から暖房室を経て建物の外部に通じるダクトを備えているものとすれば、炉前ホールの床が暖房室によって暖められることから、暖房装置として排気ガスの熱を有効使用することができる。
【図面の簡単な説明】
【００１６】
【図１】本発明の第一実施形態の火葬設備を含む火葬場の建物を示す図面である。
【図２】立地条件が傾斜地の場合の火葬場の建物を示す説明図である。
【図３】立地条件が平地の場合の火葬場の建物を示す説明図である。
【発明を実施するための形態】
【００１７】
本発明の第一実施形態の火葬設備を含む火葬場の建物１は図１に示すように部屋として、遺体を収容した棺等を載せる台車が走行する炉前ホール２と、炉前ホール２から棺を入れる炉室３と、炉室３での燃焼により発生する排気ガスを処理する排ガス処理室４と、炉室３の状況を監視する監視室５と、建物１内に電気を供給するキュービクル室６、暖房室７とを備える。なおこれら部屋２〜７は仕切られており、戸（扉や引き戸等）によって出入り口を開閉するものである。ちなみに暖房室７は後って詳述する暖房装置７ａの主要部分が設置されているだけで、人が出入りする必然性は無いので、出入り口を設けるか否かは任意である。
【００１８】
炉前ホール２には、遺体に最後の別れを告げるための告別室や、遺骨を骨壺に収めるための収骨室等が設けられている。
【００１９】
炉室３には、炉前ホール２から棺が移送される冷却用の前室３ａと、前室３ａから移送された棺を燃焼させる火葬室としての火葬炉３ｂとが形成されている。
【００２０】
キュービクル室６は、発電所から変電所を通して送られてくる電気を所望の電圧に変圧する受電設備が設置されており、受電設備から火葬場の各種設備に電気を供給している。
【００２１】
排ガス処理室４は大地８の側方に形成され、この大地８の上、つまり排ガス処理室４の上部側方に暖房室７が形成されている。そして暖房室７及び排ガス処理室４よりも上側に炉前ホール２、炉室３、監視室５、キュービクル室６は形成されている。さらに炉室３に対して炉前ホール２とは反対側に監視室５とキュービクル室６が形成されている。したがって平面視すると、監視室５とキュービクル室６の位置は、炉前ホール２及び炉室３とは異なる位置である。また監視室５の上側にキュービクル室６が形成されている。
【００２２】
排ガス処理室４には、炉室３（火葬炉３ｂ）で発生した排気ガスを浄化（無害化）するための排ガス浄化装置４ａが設置されている。排ガス浄化装置４ａは、排気ガスの温度を下げる熱交換器４１と、熱交換器４１を通過した排気ガスに含まれるダストをろ布に捕集させるバグフィルタ４２と、バグフィルタ４２を通過した排気ガスに含まれるダイオキシン類等を除去する触媒装置４３と、触媒装置４３を通過した排気ガスを吸引すると共に建物１の外へ送り出す排気ファン４４とを備える。また排ガス浄化装置４ａは、冷却ファン４５をも備えている。冷却ファン４５は、排ガス処理室４内において、熱交換器４１に向かう排気ガスに空気を混合させて、排気ガスの温度を下げると共に、熱交換器４１に空気を吹き付けて、熱交換器４１の温度を下げている。なお当然ながら排ガス浄化装置４ａのこれら設備は、排気ガスを通すダクトで接続されている。また炉室３において前室３ａの天井と、火葬炉３ｂにはそれぞれダクトが接続され、これら２つのダクトは熱交換器４１へ通じる別のダクトにそれぞれ接続されている。そして排気ファン４４の駆動によって、火葬炉３ｂ内の排気ガス及び前室３ａ内の熱気は、熱交換器４１へ吸引されている。また排気ファン４４と建物１の外部とはダクトで接続されており、最終的に排気ガスは建物１の外部へ排出されている。なお図１においてダクトは太線で示され、白抜きの三角は排気ガスが流れる方向を示している。
【００２３】
排気ファン４４は、モータで羽根車を回転させるものである。また冷却ファン４５も排気ファン４４と同様に、モータで羽根車を回転させるものである。従って排気ファン４４及び冷却ファン４５からは、羽根車の回転による振動から生じる騒音が発生する。この騒音が排ガス処理室４には発生すると共に、排ガス処理室４内の空気はダクトや熱交換器４１等から発生する熱で高温となる。
【００２４】
暖房室７には、暖房装置７ａが設置されている。暖房装置７ａは、排ガス処理室４から炉前ホール２の床下（暖房室７）を経て建物１の外部に達するまで配管されたダクト７１と、ダクト７１の一次側に接続する別の排気ファン７２と、ダクト７１の一次側に接続する第１の開閉装置７３とを備えている。なおこの排気ファン７２と第１の開閉装置７３は、図示の例では、排ガス処理室４内に設置してあるが、暖房室７に設置しても良い。
【００２５】
第１の開閉装置７３は、炉前ホール２の床下（暖房室７）に位置するダクト７１の開口端を開閉する扉（図示略）を備えるもので、扉を開いた場合、暖房装置７ａのダクト７１と排ガス処理室４は連通し、排ガス処理室４内の熱気をダクト７１を通して建物１の外部へ排出する。
第１の開閉装置７３を開状態とした場合に、暖房装置７ａの排気ファン７２を駆動させることにより、排ガス処理室４の熱を外部へ短時間で排出し、また排気ファン７２の駆動状態を調節することにより、暖房室７の温度ひいては炉前ホール２の暖房温度を調節することができる。ちなみに暖房装置７ａの排気ファン７２を駆動させた場合にも振動音を発生させるが、排気ファン７２を排ガス処理室４に設置してあれば、その振動音は、炉前ホール２には伝わり難くなる。
一方、第１の開閉装置７３を閉状態にした場合、暖房装置７ａのダクト７１と排ガス処理室４は不通となり、排ガス処理室４内の熱気がこもることになる。
【００２６】
この熱気を排出するために排ガス処理室４と建物１の外部との間には、別のダクトが配管されており、このダクトは、排ガス処理室４から暖房室７を通ることなく建物１の外部に達するまで配管されたもので、図示の例では監視室５、キュービクル室６を通過するようになっている。またこのダクトの一次側の開口端を開閉する第２の開閉装置９が排ガス処理室４に設けられている。第２の開閉装置９は図示の例では、排ガス処理室４に設置されている。
【００２７】
このように火葬炉３ｂで発生する排気ガスを建物１の外部に排出するダクトと、排ガス処理室で発生する熱気を排出する２つのダクト（暖房室７を通過するダクト７１と、暖房室７を通過することなく建物１の外部へ向かうダクト）は、それぞれ別系統となっている。
【００２８】
本発明の第一実施形態の火葬設備は、火葬炉３ｂを使用中に排ガス浄化装置４ａを駆動する。そうすると、排気ファン４４、冷却ファン４５が騒音を発生させる。しかしながら１）排ガス処理室４の位置を炉前ホール２と炉室３と監視室４とキュービクル室５よりも下側で且つ大地８の側方の位置にしてあり、２）しかも排ガス処理室４の位置を炉室３の下とし、３）炉前ホール２の下に大地８が位置することから、騒音（排気ファン４４や冷却ファン４５の駆動によって発生する振動音）が大地８によって吸収され、炉前ホール２に伝わり難くなり、炉前ホール２を静かなものとすることができる。しかも炉前ホール２の下側に位置する大地８の側方に排ガス処理室４を形成したことから、排ガス処理室４の側方の大地８の上端を基準とする火葬設備の地上高、ひいては火葬場の建物１の地上高を低くすることができ、周囲の景観に配慮したものとなる。
【００２９】
また暑い時期には第１の開閉装置７３を閉状態にすると共に、第２の開閉装置９を開状態にし、排ガス処理室４の熱気を建物１の外部へ排出する。従って暖房室７は、排ガス処理室４の熱気が伝わらず、断熱空間となる。
一方、寒い時期には第１の開閉装置７３を開状態にして、排ガス処理室４の熱気を暖房室７内のダクト７１に通してから建物１の外部へ排出することにより、炉前ホール２を暖房する。なお第２の開閉装置９を開状態にすれば、炉前ホール２の暖房効果は小さくなり、また第２の開閉装置９を閉状態にした上で、暖房装置７ａの排気ファン７２を駆動させれば、暖房効果が大きくなる。
【００３０】
なお本発明の火葬設備を含む火葬場の建物１は、立地条件に応じて次のようにして形成する。図２に示すように、傾斜地の場合、地面を２段に階段状に掘削して、下の段を構成する大地８の上に排ガス処理室４を形成し、上の段を構成する大地８の上に炉前ホール２を形成する。また図３に示すように、平地の場合、水平な地面を排ガス処理室４用に掘削して、その掘削箇所である地下に排ガス処理室４を形成し、それ以外の炉前ホール２及び炉室３等を地上に形成する。
【００３１】
本発明は上記実施形態に限定されるものではなく、その趣旨を逸脱しない範囲において適宜変更可能である。たとえば排ガス処理室４の熱気を排出するダクトを、火葬場の建物１の周囲に設けた駐車場の地面にまで延長させても良く、寒い時期に駐車場の地面上の雪を溶かす消雪装置として使用することも可能である。
【符号の説明】
【００３２】
１  建物
２  炉前ホール
３  炉室
３ａ  前室
３ｂ  火葬炉
４  排ガス処理室
４ａ  排ガス浄化装置
４１  熱交換器
４２  バグフィルタ
４３  触媒装置
４４  排気ファン
４５  冷却ファン
５  監視室
６  キュービクル室
７  暖房室
７ａ  暖房装置
７１  ダクト
７２  排気ファン
７３  第１の開閉装置
８  大地
９  第２の開閉装置
【図１】
0006290037.tif 000002
【図２】
0006290037.tif 000003
【図３】
0006290037.tif 000004